(57)【特許請求の範囲】
【請求項１】
水から蒸気を生成する蒸気生成部と、
前記蒸気生成部に水を供給する給水部と、
前記給水部と前記蒸気生成部を繋ぐ給水路と、
前記蒸気生成部から通じる蒸気ダクトと、
前記蒸気ダクトに設けられ、前記蒸気生成部により生成された蒸気を絞って放出することでスチームを生成するスチーム生成部と、
内部に前記スチーム生成部が位置するように設けられ、前端に形成されたスチーム吹出口を介して本体の外部と通じているスチームダクトと、
前記蒸気ダクトの外部で前記スチーム生成部の下方且つ前記スチームダクトの下部に設けられた結露水回収部と、
一端が前記結露水回収部に接続され、前記結露水回収部に回収された結露水を前記蒸気生成部よりも上流に還流させる経路となる結露水回収路と、
を備え、
前記スチーム生成部は、前記スチーム吹出口に向かってスチームを噴射するように設けられ、
前記結露水回収部は、外部へのスチームの放出方向が下向きになるように前記スチームダクトが傾いている状態で前記スチームダクトにおける上流側に向かうにつれて低くなるように傾斜した第１の傾斜面を有する流体搬送装置。
【請求項２】
前記結露水回収路の前記一端は、前記第１の傾斜面の最下部で前記結露水回収部に接続された請求項１に記載の流体搬送装置。
【請求項３】
前記結露水回収部は、前記第１の傾斜面とは反対方向に傾斜した第２の傾斜面を有し、
前記結露水回収路の前記一端は、前記第２の傾斜面の最下部で前記結露水回収部に接続された請求項１又は２に記載の流体搬送装置。
【請求項４】
前記結露水回収路の前記一端は、前記スチーム生成部の直下に位置する請求項１から３のいずれか１項に記載の流体搬送装置。
【請求項５】
前記結露水回収路は、他端が前記給水部に接続された請求項１から４のいずれか１項に記載に流体搬送装置。
【請求項６】
前記スチームダクト及び前記結露水回収部が一体の部品として形成された請求項１から５のいずれか１項に記載の流体搬送装置。
【請求項７】
前記スチームダクト及び前記結露水回収部が別個の部品として形成された請求項１から５のいずれか１項に記載の流体搬送装置。
【請求項８】
前記結露水回収部が耐熱樹脂又は金属で形成された請求項１から７のいずれか１項に記載の流体搬送装置。
【請求項９】
前記結露水回収部に着脱自在に取り付けられ、結露水を回収し貯留する受け皿を備えた請求項１から８のいずれか１項に記載の流体搬送装置。
【発明の詳細な説明】
【技術分野】
【０００１】
本発明は、流体搬送装置に関するものである。
【背景技術】
【０００２】
下記特許文献１には、スチーム式美容器が記載されている。このスチーム式美容器は、蒸気生成部及び蒸気ダクトを備えている。蒸気ダクトには、ノズル及び復水部材が設けられている。復水部材は、ノズルと蒸気ダクトの内壁との間に設けられている。蒸気生成部により生成された蒸気は、蒸気ダクトを通り、ノズルから本体の外部へスチームとして噴出される。蒸気ダクトの内部でノズル近傍に発生した結露水は、復水部材を伝って蒸気生成部に回収される。
【先行技術文献】
【特許文献】
【０００３】
【特許文献１】特開２００２−２５３３４０号公報
【発明の概要】
【発明が解決しようとする課題】
【０００４】
特許文献１に記載のスチーム式美容器では、ノズルに発生した結露水が蒸気ダクトの外部に流出した場合、流出した結露水を本体の内部に回収できない。
【０００５】
本発明は、上記のような課題を解決するためになされた。その目的は、蒸気ダクトの外部の結露水を本体の内部に回収できる流体搬送装置を提供することである。
【課題を解決するための手段】
【０００６】
本発明に係る流体搬送装置は、水から蒸気を生成する蒸気生成部と、蒸気生成部に水を供給する給水部と、給水部と蒸気生成部を繋ぐ給水路と、蒸気生成部から通じる蒸気ダクトと、蒸気ダクトに設けられ、蒸気生成部により生成された蒸気を絞って放出することでスチームを生成するスチーム生成部と、内部にスチーム生成部が位置するように設けられ、前端に形成されたスチーム吹出口を介して本体の外部と通じているスチームダクトと、蒸気ダクトの外部でスチーム生成部の下方且つスチームダクトの下部に設けられた結露水回収部と、一端が結露水回収部に接続され、結露水回収部に回収された結露水を蒸気生成部よりも上流に還流させる経路となる結露水回収路と、を備え、スチーム生成部は、スチーム吹出口に向かってスチームを噴射するように設けられ、結露水回収部は、外部へのスチームの放出方向が下向きになるようにスチームダクトが傾いている状態でスチームダクトにおける上流側に向かうにつれて低くなるように傾斜した第１の傾斜面を有するものである。
【発明の効果】
【０００７】
本発明によれば、流体搬送装置において、蒸気ダクトの外部でスチーム生成部の下方に結露水回収部を設けたので、蒸気ダクトの外部の結露水を本体の内部に回収することができる。
【図面の簡単な説明】
【０００８】
【図１】本発明の実施の形態１における流体搬送装置の縦断面図である。
【図２】本発明の実施の形態１における流体搬送装置の動作を示すフローチャートである。
【図３】本発明の実施の形態２における流体搬送装置の縦断面図である。
【図４】本発明の実施の形態２における芳香皿の拡大斜視図である。
【図５】本発明の実施の形態３における流体搬送装置の縦断面図である。
【図６】図５に示す流体搬送装置のスチームの放出方向を変化させた状態を示す図である。
【図７】本発明の実施の形態４における流体搬送装置の縦断面図である。
【発明を実施するための形態】
【０００９】
添付の図面を参照して、本発明を詳細に説明する。各図では、同一又は相当する部分に同一の符号を付している。重複する説明は、適宜簡略化あるいは省略する。なお、本明細書では、特に断りがない限り、各図における前、後、上、下を示す矢印の向きに基づいて、前後方向及び上下方向を指定する。
【００１０】
実施の形態１．
図１は、本実施の形態における流体搬送装置の縦断面図である。以下、図１を参照して、流体搬送装置の構成を説明する。
【００１１】
流体搬送装置は、本体の外郭をなす本体ケース１を備えている。本体ケース１の上面の前側は、水平に形成されている。本体ケース１の上面の後側は、後方に向かうにつれて低くなるように傾斜して形成されている。本体ケース１の上面には、ふた２が着脱自在に取り付けられている。ふた２は、本体ケース１の上面に沿うように屈曲して形成されている。本体ケース１の後面の下部には、開口部１ａが形成されている。流体搬送装置の本体の内部は、開口部１ａを介して外部と通じている。本体ケース１の前面の下部には、操作部３が設けられている。操作部３は、流体搬送装置の図示しない電源ＳＷ及び人体検出部４等を備えている。
【００１２】
流体搬送装置は、本体ケース１の内部の後側に、給水部５を備えている。給水部５は、下向きに凹んだように形成されている。給水部５は、図示しない水位検知部を備えている。給水部５には、上方から給水タンク６が着脱自在に取り付けられている。給水タンク６の下部には、給水弁６ａが設けられている。給水弁６ａは、給水タンク６が取り付けられる際に給水部５の凹みに嵌るように形成されている。
【００１３】
流体搬送装置は、本体ケース１の内部の前側に、蒸気生成部を備えている。蒸気生成部は、貯水部７及びヒータ８を備えている。貯水部７は、流体貯蔵部として設けられている。ヒータ８は、貯水部７の外周面の下部に取り付けられている。また、貯水部７の外周面の下部には、サーミスタ９が取り付けられている。サーミスタ９は、温度検出部として設けられている。
【００１４】
本体ケース１の内部には、給水部５と蒸気生成部とを繋ぐ給水路１０が設けられている。給水路１０の一端は、給水部５の底部に接続されている。給水路１０の他端は、貯水部７の底部に接続されている。このため、給水タンク６は、給水弁６ａ及び給水路１０を介して貯水部７と通じている。給水路１０の内部には、逆止弁１１が設けられている。
【００１５】
蒸気生成部の上方には、蒸気ダクト１２が着脱可能に設けられている。蒸気ダクト１２は、貯水部７から通じている。蒸気ダクト１２は、貯水部７の上面から上方へ延びるように形成されている。蒸気ダクト１２の上端付近は、前方へ湾曲している。蒸気ダクト１２の上端には、ノズル１３が設けられている。ノズル１３は、蒸気を絞って圧縮放出することでスチーム化するように形成されている。つまり、ノズル１３は、スチーム生成部として働く。ノズル１３は、水平方向にスチームを噴射するように設けられている。
【００１６】
蒸気生成部の上方には、スチームダクト１４が着脱可能に設けられている。スチームダクト１４は、その内部にノズル１３が位置するように設けられている。つまり、蒸気ダクト１２は、スチームダクト１４の下部を貫通し、上端付近がスチームダクト１４の内部に位置するように設けられている。
【００１７】
スチームダクト１４の後端には、開口部１４ａが形成されている。開口部１４ａは、ノズル１３と同程度の高さに位置している。スチームダクト１４の前端には、スチーム吹出口１５が形成されている。スチーム吹出口１５は、開口部１４ａよりも大きく形成されている。スチーム吹出口１５は、メッシュ又はスリット等の目の細かい形状に形成されている。スチームダクト１４は、スチーム吹出口１５を介して本体の外部と通じている。このため、貯水部７は、蒸気ダクト１２、ノズル１３、スチームダクト１４及びスチーム吹出口１５を介して本体の外部と通じている。
【００１８】
本体ケース１の内部の後側には、送風ファン１６が設けられている。送風ファン１６の上方には、送風ダクト１７が設けられている。送風ダクト１７は、本体ケース１の後面から上面に沿って配置されている。つまり、送風ダクト１７は、本体ケース１の後面及び上面に沿うように屈曲して形成されている。送風ダクト１７の端部には、前方を向いて開放されたアシスト風吹出口１８が形成されている。送風ダクト１７は、アシスト風吹出口１８を介して本体の外部と通じている。このため、送風ファン１６が設置された空間は、送風ダクト１７及びアシスト風吹出口１８を介して本体の外部と通じている。アシスト風吹出口１８は、スチーム吹出口１５の上方に位置している。アシスト風吹出口１８の周縁の上部には、ルーバー１９が設けられている。このように形成された送風ダクト１７は、主に本体ケース１の上面に沿う部分で、スチームダクト１４を外側から覆うように配置されている。
【００１９】
また、送風ダクト１７は、本体ケース１の後面と上面との境界付近の位置で分岐して開口部１４ａに接続されている。このため、送風ファン１６が設置された空間は、送風ダクト１７及び開口部１４ａを介してスチームダクト１４と通じている。送風ダクト１７の分岐点から開口部１４ａに至る部分は、分岐点からアシスト風吹出口１８に至る部分よりも細く形成されている。
【００２０】
スチームダクト１４において、ノズル１３の下方には、結露水回収部２０及び結露水回収路２１が設けられている。結露水回収部２０は、スチームダクト１４の下部に設けられている。結露水回収路２１は、着脱可能に設けられている。結露水回収部２０及び結露水回収路２１は、ノズル１３及びスチームダクト１４の内壁に発生した結露水を回収するためのものである。結露水回収部２０の前端は、スチーム吹出口１５に接している。結露水回収部２０の後端は、ノズル１３の直下付近に位置している。結露水回収部２０は、後方に向かうにつれて低くなるように傾斜している。結露水回収部２０の後端側には、結露水回収路２１の一端が接続されている。つまり、結露水回収路２１の一端は、結露水回収部２０の傾斜面の最下部に接続されている。結露水回収路２１の他端は、給水部５に接続されている。結露水回収路２１は、結露水回収部２０に接続された一端から給水部５に接続された他端に向かうにつれて低くなるように形成されている。このため、結露水回収部２０は、結露水回収路２１を介して給水部５に通じている。つまり、結露水回収路２１は、結露水回収部２０に回収された結露水を蒸気生成部よりも上流に還流させる経路となっている。なお、結露水回収部２０は、スチームダクト１４と一体の部品として形成されている。
【００２１】
結露水回収部２０の傾斜面は、結露水が確実に流れるように、水平面に対して７°以上の勾配で形成されるのが望ましい。結露水回収部２０は、撥水コーティングされるか、撥水樹脂で形成されるのが望ましい。また、回収される結露水は高温であるため、結露水回収部２０は、耐熱樹脂又は金属部材で形成されてもよい。
【００２２】
本体ケース１の内部には、流体搬送装置の運転を制御する制御部２２が設けられている。制御部２２は、時間を計測するタイマー機能を備えている。制御部２２には、操作部３の出力端、人体検出部４の出力端、給水部５の水位検知部の出力端、サーミスタ９の出力端が接続されている。また、制御部２２には、ヒータ８の入力端及び送風ファン１６の入力端が接続されている。
【００２３】
人体検出部４は、流体搬送装置の本体と周囲に居る人との距離を検出する。給水部５の水位検知部は、給水タンク６の内部の水位を検知する。サーミスタ９は、蒸気生成部の温度を検出する。制御部２２は、接続されている各部の出力端から信号を受信する。
【００２４】
制御部２２は、ヒータ８を制御するための信号をヒータ８の入力端に送信する。ヒータ８は、貯水部７の内部の水を加熱し、蒸気を生成する。上述したとおり、貯水部７は、蒸気ダクト１２、ノズル１３、スチームダクト１４及びスチーム吹出口１５を介して本体の外部と通じている。このため、蒸気ダクト１２及びノズル１３は、貯水部７の内部に生成された蒸気をスチーム化してスチームダクト１４に送る経路となる。また、スチームダクト１４及びスチーム吹出口１５は、ノズル１３により生成されたスチーム２３を本体の外部に送る経路となる。
【００２５】
制御部２２は、送風ファン１６を制御するための信号を送風ファン１６の入力端に送信する。送風ファン１６は、後方の開口部１ａから空気を吸い込み、上方に向かって空気を吹き出す。上述したとおり、送風ファン１６が設置された空間は、送風ダクト１７及びアシスト風吹出口１８を介して本体の外部と通じている。このため、送風ダクト１７及びアシスト風吹出口１８は、送風ファン１６から本体の外部に空気を送る経路となる。以下、アシスト風吹出口１８から放出された空気をアシスト風２４という。アシスト風２４の風向は、ルーバー１９により調節される。また、上述したとおり、送風ファン１６が設置された空間は、送風ダクト１７及び開口部１４ａを介してスチームダクト１４と通じている。このため、送風ダクト１７及び開口部１４ａは、送風ファン１６からスチームダクト１４に空気を送る経路となる。
【００２６】
図２は、本実施の形態における流体搬送装置の動作を示すフローチャートである。以下、図２を参照して、流体搬送装置の動作を説明する。
【００２７】
流体搬送装置の運転開始前に、給水タンク６には、外部から水が供給される。給水タンク６は、給水弁６ａが給水部５の凹みに嵌るように取り付けられる。給水タンク６内の水は、給水弁６ａ、給水部５及び給水路１０を経て貯水部７に流れ込む。この際に流れ込む水量は、給水弁６ａによって調節される。
【００２８】
流体搬送装置の運転開始前に、使用者は、適切な位置に流体搬送装置本体を設置する。例えば、睡眠時に顔等を保湿するために使用する場合には、ベッドサイド、布団の横又は使用者から見て頭側の位置等に流体搬送装置本体が設置される。
【００２９】
操作部３の電源ＳＷが押されると、流体搬送装置の電源がＯＮ状態となり、流体搬送装置の運転が開始する（ステップＳ１０１）。このとき、制御部２２は、送風ファン１６の駆動を開始させる。
【００３０】
ステップＳ１０１に続いて、制御部２２は、ヒータ８をＯＮ状態にする（ステップＳ１０２）。これにより、ヒータ８が発熱し、貯水部７の内部の水を加熱する。貯水部７の内部の水は、加熱による水温の上昇に伴って殺菌される。その後、貯水部７の内部の水は蒸気となり、蒸気ダクト１２の内部に進入する。蒸気は、蒸気ダクト１２の内部に充満した後、ノズル１３に絞られ、スチーム２３としてスチームダクト１４の内部に噴射される。この際、蒸気ダクト１２の内部の圧力が上昇するため、給水路１０で貯水部７への流れとは逆方向の力が働く。しかし、逆止弁１１により、給水路１０から給水部５への水の逆流は防止される。
【００３１】
ステップＳ１０２に続いて、制御部２２は、送風ファン１６をＯＮ状態にする（ステップＳ１０３）。送風ファン１６は、本体ケース１の後面の開口部１ａから外部の空気を取り入れ、送風ダクト１７の内部に送る。分岐点から開口部１４ａ側に進まずに送風ダクト１７を通過した空気は、アシスト風吹出口１８からアシスト風２４として外部へ放出される。アシスト風２４は、ルーバー１９により水平方向よりやや下方へ向かって送風される。
【００３２】
一方、分岐点から開口部１４ａ側に進んだ空気は、スチームダクト１４に流入する。開口部１４ａからスチームダクト１４に流入した空気は、スチーム２３と混合される。開口部１４ａからスチームダクト１４に流入した空気は常温であるため、スチーム２３の温度は低下する。空気と混合されたスチーム２３は、スチーム吹出口１５から外部へ放出される。スチーム吹出口１５から外部へ放出されたスチーム２３は、推力を失うと温度により上昇を始める。スチーム２３は、アシスト風吹出口１８から放出されたアシスト風２４により、上昇を抑制されつつ前方に搬送される。
【００３３】
ステップＳ１０３に続いて、ステップＳ１０４に進む。ステップＳ１０４において、人体検出部４は、流体搬送装置本体と使用者との距離を検出する。制御部２２は、人体検出部４によって検出された距離に基づいてヒータ８の運転レベルを調整する。例えば、距離が５０ｃｍであると判定された場合には、制御部２２は、ヒータ８の運転レベルを弱運転とすることで、蒸気の生成量を減少させる。また、距離が１００ｃｍであると判定された場合には、制御部２２は、ヒータ８の運転レベルを強運転とすることで、蒸気の生成量を増大させる。このようにして、制御部２２は、使用者の顔周りの湿度を睡眠時に適した５０〜６０％程度に維持する。
【００３４】
流体搬送装置の運転がしばらく続くと、蒸気ダクト１２の内壁、スチームダクト１４の内壁及びノズル１３に結露水が発生する。蒸気ダクト１２の内壁に付着した結露水は、貯水部７へ流れていく。スチームダクト１４の内壁に付着した結露水は、壁面を伝って結露水回収部２０に回収される。ノズル１３に付着した結露水も同様に、結露水回収部２０に滴下し回収される。結露水回収部２０に回収された結露水は、結露水回収路２１を通って給水部５に戻る。
【００３５】
ステップＳ１０４に続いて、ステップＳ１０５に進む。ステップＳ１０５において、制御部２２は、以下の判定を行う。第１に、制御部２２は、電源ＳＷがＯＦＦ状態であるか否かの判定を行う。第２に、制御部２２は、流体搬送装置の運転開始から予め設定された時間が経過したか否かの判定を行う。第３に、制御部２２は、水位検知部の検知結果に基づいて、給水タンク６の内部の水量が０であるか否かの判定を行う。これらの判定において、いずれの条件も成立しない場合は、ステップＳ１０４に戻る。なお、必ずしもこれらの判定の全てを行う必要はなく、少なくとも１つの判定を行うこととしてもよい。
【００３６】
ステップＳ１０５の判定において、いずれかの条件が成立した場合、制御部２２は、流体搬送装置の電源をＯＦＦ状態にする（ステップＳ１０６）。
【００３７】
使用者は、流体搬送装置の使用後に、蒸気ダクト１２、スチームダクト１４、結露水回収路２１及び給水タンク６等を本体ケース１から取り外して洗浄する。また、使用者は、本体ケース１の内部の給水部５及び貯水部７等を洗浄する。
【００３８】
上述したとおり、本実施の形態では、ノズル１３がスチームダクト１４の内部に配置されている。ノズル１３の下方には、結露水回収部２０が設けられている。結露水回収部２０は、結露水回収路２１を介して給水部５に通じている。このため、ノズル１３及びスチームダクト１４の内壁に発生した結露水は、結露水回収部２０に回収され、結露水回収路２１を通って給水部５に戻る。つまり、本実施の形態によれば、蒸気ダクト１２の外部の結露水を本体の外部に流出させることなく、本体の内部に回収することができる。
【００３９】
上述したとおり、本実施の形態では、結露水回収部２０が後方に向かうにつれて低くなるように傾斜している。つまり、結露水回収部２０は、スチームダクトにおける上流側に向かうにつれて低くなるように傾斜した傾斜面を有している。このため、結露水はスチーム吹出口１５から離れる方向に流れて回収される。その結果、スチーム吹出口１５から高温の結露水が放出されることを防止し、安全性を向上することが出来る。
【００４０】
上述したとおり、本実施の形態では、結露水回収部２０の後端は、ノズル１３の直下付近に位置している。結露水回収部２０の後端側には、結露水回収路２１の一端が接続されている。つまり、結露水回収路２１の一端は、ノズル１３の直下付近に位置している。これにより、ノズル１３から滴下した結露水の回収効率を向上することができる。
【００４１】
上述したとおり、本実施の形態では、結露水回収部２０がスチームダクト１４と一体の部品として形成されている。これにより、メンテナンス時に分解するパーツが少なくて済むため、使用者の作業効率を向上することが出来る。
【００４２】
本実施の形態では、結露水回収部２０がスチームダクト１４と一体の部品として形成されている。しかし、結露水回収部２０とスチームダクト１４とを別個の部品としてもよい。この場合、結露水回収部２０及び結露水回収路２１だけを本体ケース１から取り外すことができる。これにより、特定の部品についての重点的なメンテナンスが行い易くなる。
【００４３】
実施の形態２．
図３は、本実施の形態における流体搬送装置の縦断面図である。図４は、後述する芳香皿２５の斜視図である。以下、実施の形態１と同一又は相当する部分には同一の符号を付して説明を省略する。
【００４４】
本実施の形態において、結露水回収部２０には、芳香皿２５が着脱自在に取り付けられる。芳香皿２５は、結露水回収部２０とは別体の受け皿として設けられる。芳香皿２５は、結露水回収部２０に収まる形状に形成されている。使用者は、芳香皿２５に好みの芳香物質を入れて結露水回収部２０に設置する。流体搬送装置が運転されると、芳香物質から拡散された芳香成分が、スチーム２３とともにスチーム吹出口１５から放出される。ノズル１３及びスチームダクト１４の内壁に発生した結露水は、芳香皿２５に回収される。高温の結露水により芳香物質が温められると、芳香成分の拡散が促進される。なお、芳香皿２５の容量は、流体搬送装置を一晩運転した場合に発生する結露水量よりも大きい。
【００４５】
上述したとおり、本実施の形態では、芳香物質が収容された芳香皿２５が結露水回収部２０に設置されている。これにより、流体搬送装置からスチームとともに芳香成分を放出することができる。特に、本実施の形態では、結露水を利用して芳香物質を温めることで、より効果的に芳香成分を拡散することができる。
【００４６】
上述したとおり、本実施の形態では、芳香皿２５が着脱自在に設けられている。そして、芳香皿２５は、結露水の貯留手段と芳香物質の収容手段を兼ねている。このため、結露水の廃棄と芳香物質の収容手段の洗浄とを同時に行うことができる。その結果、使用者の手間を省き、利便性を向上することができる。
【００４７】
実施の形態３．
図５は、本実施の形態における流体搬送装置の縦断面図である。図６は、図５に示す流体搬送装置のスチームの放出方向を変化させた状態を示す図である。以下、実施の形態１と同一又は相当する部分には同一の符号を付して説明を省略する。
【００４８】
実施の形態１では、結露水回収路２１の一端が結露水回収部２０の後端側に接続されている。これに対して、本実施の形態では、結露水回収部２０は、第１の傾斜面及び第２の傾斜面を有している。第１の傾斜面は、後方に向かうにつれて低くなるように形成されている。第２の傾斜面は、第１の傾斜面よりも後方に位置し、前方に向かうにつれて低くなるように形成されている。そして、結露水回収路２１の一端は、第１の傾斜面の最下部及び第２の傾斜面の最下部に接続されている。つまり、本実施の形態では、結露水回収路２１の一端が結露水回収部２０の前後方向における中央付近に配置されている。
【００４９】
また、本実施の形態では、スチームダクト１４が可変式に設けられている。つまり、本実施の形態では、外部へのスチームの放出方向を上下に変化させることができる。なお、第１の傾斜面は、図６に示すようにスチームの放出方向を変化させたときに、水平面に対して７°以上の角度を持つことが望ましい。
【００５０】
上述した本実施の形態の構成によれば、スチームの放出方向を変化させた場合であっても、結露水を本体の外部に流出させることなく、実施の形態１と同様の効果を得ることができる。
【００５１】
実施の形態４．
図７は、本実施の形態における流体搬送装置の縦断面図である。以下、実施の形態１と同一又は相当する部分には同一の符号を付して説明を省略する。
【００５２】
実施の形態１では、結露水回収路２１の他端が給水部５に接続されている。これに対して、本実施の形態では、結露水回収路２１の他端が給水路１０に接続されている。結露水回収路２１は、結露水回収部２０から給水路１０と同程度の高さまで垂直に形成されている。このため、結露水回収部２０に回収された結露水は給水路１０に戻り、蒸気生成部にて再び蒸気となる。なお、給水路１０は、シリコン等の軟質耐熱樹脂で形成されている。
【００５３】
また、本実施の形態では、結露水回収部２０及びスチームダクト１４の内部への逆流を防止するため、結露水回収路２１の内部に逆止弁２６が設けられている。但し、結露水回収路２１において、給水路１０の内部圧力よりも高い水頭圧を確保できる位置にスチームダクト１４が設けられていれば、逆止弁２６は不要である。
【００５４】
上述した本実施の形態の構成によれば、給水路１０において、加熱前の水に高温の結露水が混合される。このため、貯水部７に流れ込む水の温度が上昇する。その結果、蒸気を生成するためのヒータ８による加熱量が少なくて済むため、省エネルギーな流体搬送装置を実現することができる。また、給水路１０は軟質耐熱樹脂で形成されているため、結露水の熱による影響を考慮する必要はない。
【符号の説明】
【００５５】
１  本体ケース、１ａ  開口部、２  ふた、３  操作部、４  人体検出部、５  給水部、６  給水タンク、６ａ  給水弁、７  貯水部、８  ヒータ、９  サーミスタ、１０  給水路、１１  逆止弁、１２  蒸気ダクト、１３  ノズル、１４  スチームダクト、１４ａ  開口部、１５  スチーム吹出口、１６  送風ファン、１７  送風ダクト、１８  アシスト風吹出口、１９  ルーバー、２０  結露水回収部、２１  結露水回収路、２２  制御部、２３  スチーム、２４  アシスト風、２５  芳香皿、２６  逆止弁
【図１】
0005847153.tif 000002
【図２】
0005847153.tif 000003
【図３】
0005847153.tif 000004
【図４】
0005847153.tif 000005
【図５】
0005847153.tif 000006
【図６】
0005847153.tif 000007
【図７】
0005847153.tif 000008